(57)【特許請求の範囲】
【請求項１】
可撓性を有する平面状のシート体からなり、顔面に載置されるフェイスマスクであって、
顔面の左右の目に対向する一対の目部であって、外側を上方にして傾斜した一対の目部と、
顔面の口唇に対応する口部に形成され、中央部が下側に凸となるように中央部から左右両端に向かって上方に傾斜した横方向に長い楕円形状の切り抜き孔と、
顔面の鼻孔に対応する鼻孔部に形成された横方向の第１切込線であって、顔面の鼻梁に対応する鼻部の左右の位置には達しない第１切込線と、
前記口部と前記鼻孔部との間、及び前記口部の下方を左右に分離する縦方向の第２切込線と、
を備えたフェイスマスク。
【請求項２】
前記第２切込線は、縦方向に間欠的に形成された請求項１に記載のフェイスマスク。
【請求項３】
前記一対の目部の間に、少なくとも１つの横方向の第３切込線を前記一対の目部から独立して形成した請求項１又は２に記載のフェイスマスク。
【発明の詳細な説明】
【技術分野】
【０００１】
この発明は、紙、織布又は不織布等のシート体から顔面の形状に合わせて裁断され、化粧水や美容液等の液体を含浸させた状態で顔面に載置して使用されるフェイスマスクに関する。
【背景技術】
【０００２】
従来、化粧水や美容液等の美容効果のある液体を顔面に塗布する際に、紙、織布又は不織布等の液体含浸性を有する素材からなるシート体のフェイスマスクが用いられる。フェイスマスクは、液体を含浸させた状態で顔面に載置される。
【０００３】
フェイスマスクを顔面に載置することで、フェイスマスクが含浸している化粧水等の液体を長時間にわたって顔面の皮膚に接触させることができ、液体の美容効果を十分に作用させることができるとされている。
【０００４】
しかし、フェイスマスクは、平面状のシート体であるため、３次元の曲面で構成されている顔面の全面に完全に密着させることはできない。
【０００５】
このため、従来のフェイスマスクは、顔面の目、鼻、口のそれぞれに対応する目部、鼻部、口部に、切込線や切り抜き孔が形成されている。顔面にフェイスマスクを載置した状態で、使用者の視覚及び呼吸を確保し、会話や飲食を可能にしつつ、顔面に対する接触面積を広くするためである。特に、鼻は顔面の中央から隆起しており、従来のフェイスマスクでは、鼻部にＵ字状の切込線が形成されている（例えば、特許文献１参照。）。
【先行技術文献】
【特許文献】
【０００６】
【特許文献１】特開２００４−２６２９０１号公報
【発明の概要】
【発明が解決しようとする課題】
【０００７】
しかしながら、従来のフェイスマスクでは、鼻部をＵ字状の切込線で構成しているため、小鼻にフェイスマスクを接触させることができず、小鼻に十分な美容効果を作用させることができない問題があった。これは、鼻梁に当接した鼻部の中央部が浮き上がり、鼻部が左右の頬部及び鼻下部から離間するためである。鼻部の幅を広くすることで鼻部を小鼻に接触させることはできるが、頬部の幅が狭くなって頬の中央部側にフェイスマスクを接触させることができなくなる。
【０００８】
この発明の目的は、口部の上下部分を横方向に重ね合わせることで鼻部を弛ませることができるようにし、左右方向について鼻部と頬部とを連続させることができ、小鼻にも確実に接触させることができるフェイスマスクを提供することにある。
【課題を解決するための手段】
【０００９】
この発明のフェイスマスクは、可撓性を有する平面状のシート体からなり、顔面に載置されるフェイスマスクであって、一対の目部、切り抜き孔、第１切込線、第２切込線を備えている。一対の目部は、顔面の左右の目に対向し、外側を上方にして傾斜している。切り抜き孔は、顔面の口唇に対向する口部に形成され、中央部が下側に凸となるように中央部から左右両端に向かって上方に傾斜した横方向に長い楕円形状を呈している。第１切込線は、顔面の鼻孔に対向する鼻孔部に横方向に形成されており、顔面の鼻梁に対応する鼻部の左右の位置には達しない。第２切込線は、口部と鼻孔部との間、及び口部の下方を左右に分離するように縦方向に形成されている。
【００１０】
この構成では、顔面の鼻梁に対応する鼻梁部は、顔面の左右の頬に対応する頬部に横方向に連続する。鼻孔部よりも下側の部分は、第２切込線で左右に分離される。鼻孔部よりも下側の部分で第２切込線を挟む左右の部分を重ね合わせると、左右の幅が短くなり、第２切込線の無い鼻孔部よりも上方の部分に下側が上側よりも大きな弛みを生じる。特に、顔面の鼻梁に対応する鼻部は、顔面の額に対応する額部よりも大きな弛みを生じ、顔面の鼻梁の隆起に沿って鼻部が鼻の全面に密着する。鼻部の左右には切込が存在しないため、左右方向で鼻部は頬部に連続しており、鼻部と頬部とが隣接する部分が小鼻に密着する。また、一対の目部により、使用者の視覚を確保することができるとともに、鼻孔部よりも下側の部分を中央で重ね合わせることによって外側が内側よりも下方に変位した際に、目部を目に対向させることができる。
【００１１】
この構成において、第２切込線は、縦方向に間欠的に形成することが好ましい。未使用の状態で鼻孔部より下側の部分が分離せず、包装のための折り畳み作業を容易に行うことができる。
【００１３】
さらに、一対の目部の間に、少なくとも１つの横方向の第３切込線を一対の目部から独立して形成することが好ましい。鼻部が鼻梁に沿って弛むことによって顔面の眉間に対応する眉間部に皺が発生することを防止し、眉間部を眉間に確実に密着させることができる。
【発明の効果】
【００１４】
この発明によれば、口部の上下部分を横方向に重ね合わせることで鼻部を弛ませることができ、左右方向に連続した鼻部と頬部との間を小鼻に確実に密着させることができ、小鼻に対する美容効果を発揮させることができる。
【図面の簡単な説明】
【００１５】
【図１】この発明の実施形態に係るフェイスマスクの平面図である。
【図２】（Ａ）及び（Ｂ）は、同フェイスマスクの使用前の状態を示す図である。
【図３】（Ａ）及び（Ｂ）は、同フェイスマスクの使用時の状態を示す図である。
【図４】同フェイスマスクの使用状態を示す図である。
【図５】この発明の別の実施形態に係るフェイスマスクの平面図である。
【発明を実施するための形態】
【００１６】
以下にこの発明の実施形態に係るフェイスマスクについて図面を参照して説明する。
【００１７】
図１に示すフェイスマスク１０は、一例として不織布のシート体を人体の顔面に対応した所定の形状に裁断して形成されている。フェイスマスク１０は、顔面の全面を被覆できるように、一例として横幅が２２１ｍｍで高さが２１６ｍｍの外周が略円形を呈している。フェイスマスク１０には、左右一対の目部１１，１２、鼻孔部１３、口部１４、切取り線４、上下２本のスリット５が形成されている。
【００１８】
一対の目部１１，１２は、顔面における左右一対の目に対応し、各々が一例として上側に凸となるＵ字状であって各々の外側が上方になるように約１５度傾斜した切込線１で構成されている。鼻孔部１３は、顔面の鼻孔に対応し、一例として下側に凸となる比較的大きな半径の円弧状の切込線（この発明の第１の切込線）２で構成されている。なお、切込線１は、下側に凸となるＵ字状であって各々の外側が上方になるように約１５度傾斜した切込線１で構成してもよい。
【００１９】
口部１４は、顔面の口に対応し、一例として横方向に長い楕円形状であって下側に凸となる状態に折り曲げられた切り抜き孔３で構成されている。
【００２０】
切取り線４は、この発明の第１の切込線であり、各々が切り抜き孔３の上下に配置された上側切取り線４１及び下側切取り線４２で構成されている。上側切取り線４１は、上下端の各々と鼻孔部１３の切込線２及び口部の切り抜き孔３との間に１ｍｍ程度の間隙を設けて形成されている。下側切取り線４２は、上下端の各々と切り抜き孔３及びフェイスマスク１０の外周との間に１ｍｍ程度の間隙を設けて形成されており、中間部分の連結部４３で上下方向について中断されている。上下２本のスリット５は、顔面の眉間に対応する眉間部１５に形成されており、各々が一例として上側に凸となる切込線２よりも小径の円弧状に形成されている。
【００２１】
フェイスマスク１０の外周の上部には、左右非対称となる位置にタブ１６，１７が突出して形成されている。タブ１６，１７は、フェイスマスク１０を図２（Ａ）に示す未使用時の４つ折に折り畳んだ状態から使用時に図２（Ｂ）に示すように拡げる際に、使用者が左右の手指で摘むことで、作業を容易にするものである。なお、タブ１６，１７を省略することもできる。
【００２２】
フェイスマスク１０の外周の上下方向における中間部には、切込１８，１９が左右対称となる位置に形成されている。切込１８，１９は、フェイスマスク１０を顔面に載置した際の周縁部の密着性を向上させる。
【００２３】
フェイスマスク１０は、化粧水や美容液等の美容効果のある液体を含浸させた状態で、顔面に載置して使用される。フェイスマスク１０は、液体を含浸していない状態で包装し、使用者が使用前に所望の液体を含浸させることができる。また、フェイスマスク１０は、液体を含浸させた状態で水密性の袋内に収納しておくこともできる。
【００２４】
液体を含浸させたフェイスマスク１０を顔面に載置した後、図３（Ａ）に示すように、上側切取り線４１を切込線２及び切り抜き孔３に連続させ、連結部４３を破断した下側切取り線４２を切り抜き孔３及び外周に連続させる。これによって、鼻孔部１３の下方が中心線を挟んで左右に分離する。
【００２５】
この後、図３（Ｂ）に示すように、切取り線４を挟む左右両側を重ね合わせると、フェイスマスク１０の左右方向の幅が短縮され、鼻孔部１３よりも上方で弛みを生じる。切取り線４は、フェイスマスク１０の上下方向における下方にのみ形成されているため、上端部での弛みは小さいが、中央部では大きな弛みを生じる。このため、鼻孔部１３の上方における顔面の鼻梁に対応する鼻梁部３１に、顔面からの鼻梁の隆起に応じた３次元の変形を生じさせることができる。
【００２６】
鼻梁部３１の左右には、顔面の頬に対応する頬部３２，３３が位置する。鼻梁部３１と頬部３２，３３との間には切込線が存在しないため、鼻梁部３１は頬部３２，３３と左右方向に連続している。このため、図４に示すように、フェイスマスク１０は顔面の頬から小鼻を経由して鼻梁に至る間の全面に密着し、フェイスマスク１０が含浸している液体を顔面の小鼻にも十分に作用させることができる。
【００２７】
顔面の眉間は額よりも窪んでいる場合が多いが、フェイスマスク１０の眉間部１５にはスリット５が形成さているため、前面側に凸となるように鼻梁部３１が変形しても眉間部１５を顔面の眉間に密着させることができる。
【００２８】
また、切込線１、切込線２及び切り抜き孔３は、何れも外側を上方にして傾斜している。このため、切取り線４を挟んで左右を重ね合わせることによって、フェイスマスク１０の外周が下方に変位した際に、略水平となって顔面の目、鼻孔及び口に対向することができる。
【００２９】
さらに、切込線２から上方に向かって２本の切込線５２が形成されており、鼻梁部３１の下部を鼻尖の下側に密着させることができる。
【００３０】
なお、図５に示すように、左右一対の目部１１，１２は、各々の外側が上方になるように傾斜した左右一対の切り抜き孔５１で構成してもよい。また、目部１１，１２は、下側に凸となるＵ字状の切込線で構成することもできる。
【００３１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３２】
１，２−切込線
３−切り抜き孔
４−切取り線
５−スリット
１０−フェイスマスク
１１，１２−目部
１３−鼻孔部
１４−口部
１５−眉間部
【図１】
0005666203.tif 000002
【図２】
0005666203.tif 000003
【図３】
0005666203.tif 000004
【図４】
0005666203.tif 000005
【図５】
0005666203.tif 000006